(57)【要約】【課題】手探りでの嵌合作業中に第１ハウジングに対して第２ハウジングを長手方向に相対的に移動させての位置合せ及び嵌合を容易に行うことができ、手探りでの嵌合作業が容易であり、短時間で正確に嵌合作業を完了することができ、操作性が高く、信頼性が高くなるようにする。【解決手段】第１コネクタの第１嵌合ガイド部は、第２コネクタの第２嵌合ガイド部が挿入されるガイド凹部の両側を画定し、側壁部に接続されるとともに、側壁部の嵌合面より突出する突出側壁部を備え、突出側壁部は、ガイド凹部の入口端に形成され、第１ハウジングの長手方向に対して傾斜する誘込み傾斜面を備える。【選択図】図１
2010097727.tif 000002
【特許請求の範囲】
【請求項１】
（ａ）島部（１３）と、該島部（１３）の両側に形成された挿入凹部（１２ａ）と、該挿入凹部（１２ａ）の両側に形成された側壁部（１４）と、該側壁部（１４）の長手方向両端に接続された第１嵌合ガイド部（２１）と、該第１嵌合ガイド部（２１）に形成されたガイド凹部（２２）とを備え、第１端子（６１）が取付けられた第１ハウジング（１１）を有する第１コネクタ（１）と、
（ｂ）前記島部（１３）が挿入される凹溝部（１１３）と、該凹溝部（１１３）の両側に形成されるとともに、前記挿入凹部（１２ａ）に挿入される凸部（１１２）と、該凸部（１１２）の長手方向両端に接続され、前記ガイド凹部（２２）に挿入される第２嵌合ガイド部（１２２）とを備え、前記第１端子（６１）と接触する第２端子（１６１）が取付けられた第２ハウジング（１１１）を有し、前記第１コネクタ（１）と嵌合する第２コネクタ（１０１）とから成る基板対基板コネクタであって、
（ｃ）前記第１嵌合ガイド部（２１）は、前記ガイド凹部（２２）の両側を画定し、前記側壁部（１４）に接続されるとともに、該側壁部（１４）の嵌合面（１４ａ）より突出する突出側壁部（２１ｂ）を備え、
（ｄ）該突出側壁部（２１ｂ）は、前記ガイド凹部（２２）の入口端に形成され、前記第１ハウジング（１１）の長手方向に対して傾斜する誘込み傾斜面（２３）を備えることを特徴とする基板対基板コネクタ。
【請求項２】
前記誘込み傾斜面（２３）は、前記突出側壁部（２１ｂ）と側壁部（１４）との境界部分に形成され、前記側壁部（１４）の嵌合面（１４ａ）より突出し、
前記誘込み傾斜面（２３）が形成された前記ガイド凹部（２２）の入口端は、上方から観て斜めに開いた形状を備える請求項１に記載の基板対基板コネクタ。
【請求項３】
前記第１端子（６１）のいずれの部分も前記側壁部（１４）及び島部（１３）の嵌合面（１４ａ、１３ａ）から突出せず、
前記第２端子（１６１）のいずれの部分も前記凸部（１１２）の嵌合面（１１２ａ）から突出しない請求項１に記載の基板対基板コネクタ。
【請求項４】
前記第２嵌合ガイド部（１２２）は、その両側端に形成され、前記第２ハウジング（１１１）の長手方向に対して傾斜する被誘込み傾斜面（１２３）を備える請求項１〜３のいずれか１項に記載の基板対基板コネクタ。
【発明の詳細な説明】
【技術分野】
【０００１】
本発明は、基板対基板コネクタに関するものである。
【背景技術】
【０００２】
従来、一対の平行な回路基板同士を電気的に接続するために、基板対基板コネクタが使用されている。このような基板対基板コネクタは、一対の回路基板における相互に対向する面の各々に取付けられ、互いに嵌（かん）合して導通するようになっている（例えば、特許文献１参照。）。
【０００３】
図１０は従来の基板対基板コネクタのプラグコネクタを示す斜視図である。
【０００４】
図において、８０１は第１回路基板８９１に取付けられる第１コネクタであり、図示されない第２回路基板に取付けられる第２コネクタと嵌合する。前記第１コネクタ８０１は絶縁性材料から成る第１ハウジング８１１と、該第１ハウジング８１１に装填（てん）された複数の第１端子８６１とを備える。なお、８６２は、前記第１端子８６１のテール部であり、第１回路基板８９１の図示されない接続パッドにはんだ付される。
【０００５】
また、第１ハウジング８１１の長手方向両端に第１嵌合ガイド部８２１が形成され、該第１嵌合ガイド部８２１には第２コネクタの第２ハウジングの第２嵌合ガイド部が挿入される。そのため、前記第１嵌合ガイド部８２１には、前記第２嵌合ガイド部をスムーズに誘込むことができるように、傾斜面８２３が形成されている。これにより、前記第１コネクタ８０１と第２コネクタとを嵌合させる際に、第２コネクタの第２嵌合ガイド部を第１コネクタ８０１の第１嵌合ガイド部８２１内に容易に挿入することができるので、嵌合の作業性が向上する。
【特許文献１】特開２００８−８４７９５号公報
【発明の開示】
【発明が解決しようとする課題】
【０００６】
しかしながら、前記従来の基板対基板コネクタにおいては、手探りでの嵌合作業が困難であり、嵌合作業に時間がかかってしまう。第１回路基板８９１に取付けられた第１コネクタ８０１と第２回路基板に取付けられた第２コネクタとを嵌合する場合、作業条件によっては、オペレータが第１ハウジング８１１の嵌合面及び第２ハウジングの嵌合面を目視することができず、手探りで嵌合作業を行わなければならないことがある。この場合、オペレータは、手探りで、第１ハウジング８１１の嵌合面と第２ハウジングの嵌合面とを摺（しゅう）動させながら、第１ハウジング８１１に対する第２ハウジングの位置を調整して、第２ハウジングを第１ハウジング８１１内に挿入させる。
【０００７】
しかし、第１嵌合ガイド部８２１には上に向いた傾斜面８２３が形成されているだけである。そのため、第１コネクタ８０１と第２コネクタとの相対的位置が長手方向にずれてしまった場合、第１ハウジング８１１の嵌合面と第２ハウジングの嵌合面とを摺動させても、第２ハウジングの第２嵌合ガイド部を第１コネクタ８０１の第１嵌合ガイド部８２１内に挿入させることが困難である。したがって、嵌合作業を容易に行うことができず、嵌合作業に時間がかかってしまう。
【０００８】
本発明は、前記従来の基板対基板コネクタの問題点を解決して、第２コネクタの第２ハウジングの長手方向両端に形成された第２嵌合ガイド部が挿入される第１コネクタの第１ハウジングの長手方向の両端に形成された第１嵌合ガイド部の突出端凹部の入口端に第１ハウジングの長手方向に対して傾斜した誘込み傾斜面を形成することによって、手探りでの嵌合作業中に第１ハウジングに対して第２ハウジングを長手方向に相対的に移動させての位置合せ及び嵌合を容易に行うことができ、手探りでの嵌合作業が容易であり、短時間で正確に嵌合作業を完了することができ、操作性が高く、信頼性の高い基板対基板コネクタを提供することを目的とする。
【課題を解決するための手段】
【０００９】
そのために、本発明の基板対基板コネクタにおいては、島部と、該島部の両側に形成された挿入凹部と、該挿入凹部の両側に形成された側壁部と、該側壁部の長手方向両端に接続された第１嵌合ガイド部と、該第１嵌合ガイド部に形成されたガイド凹部とを備え、第１端子が取付けられた第１ハウジングを有する第１コネクタと、前記島部が挿入される凹溝部と、該凹溝部の両側に形成されるとともに、前記挿入凹部に挿入される凸部と、該凸部の長手方向両端に接続され、前記ガイド凹部に挿入される第２嵌合ガイド部とを備え、前記第１端子と接触する第２端子が取付けられた第２ハウジングを有し、前記第１コネクタと嵌合する第２コネクタとから成る基板対基板コネクタであって、前記第１嵌合ガイド部は、前記ガイド凹部の両側を画定し、前記側壁部に接続されるとともに、該側壁部の嵌合面より突出する突出側壁部を備え、該突出側壁部は、前記ガイド凹部の入口端に形成され、前記第１ハウジングの長手方向に対して傾斜する誘込み傾斜面を備える。
【００１０】
本発明の他の基板対基板コネクタにおいては、さらに、前記誘込み傾斜面は、前記突出側壁部と側壁部との境界部分に形成され、前記側壁部の嵌合面より突出し、前記誘込み傾斜面が形成された前記ガイド凹部の入口端は、上方から観て斜めに開いた形状を備える。
【００１１】
本発明の更に他の基板対基板コネクタにおいては、さらに、前記第１端子のいずれの部分も前記側壁部及び島部の嵌合面から突出せず、前記第２端子のいずれの部分も前記凸部の嵌合面から突出しない。
【００１２】
本発明の更に他の基板対基板コネクタにおいては、さらに、前記第２嵌合ガイド部は、その両側端に形成され、前記第２ハウジングの長手方向に対して傾斜する被誘込み傾斜面を備える。
【発明の効果】
【００１３】
本発明によれば、基板対基板コネクタは、第２コネクタの第２ハウジングの長手方向両端に形成された第２嵌合ガイド部が挿入される第１コネクタの第１ハウジングの長手方向両端に形成された第１嵌合ガイド部の突出端凹部の入口端に第１ハウジングの長手方向に対して傾斜した誘込み傾斜面を形成するようになっている。これにより、手探りでの嵌合作業中に第１ハウジングに対して第２ハウジングを長手方向に相対的に移動させての位置合せ及び嵌合を容易に行うことができ、手探りでの嵌合作業が容易であり、短時間で正確に嵌合作業を完了することができ、操作性及び信頼性を高くすることができる。
【発明を実施するための最良の形態】
【００１４】
以下、本発明の実施の形態について図面を参照しながら詳細に説明する。
【００１５】
図１は本発明の実施の形態における第１コネクタと第２コネクタとを嵌合する前の状態を示す斜視図であり第１コネクタの嵌合面側から観た図、図２は本発明の実施の形態における第１コネクタの斜視図であり嵌合面側から観た図である。
【００１６】
図において、１は本実施の形態における一対の基板対基板コネクタの一方としての第１コネクタであり、図示されない第１基板の表面に実装される表面実装型のコネクタである。また、１０１は本実施の形態における一対の基板対基板コネクタの他方としての第２コネクタであり、図示されない第２基板の表面に実装される表面実装型のコネクタである。本実施の形態における基板対基板コネクタは、前記第１コネクタ１及び第２コネクタ１０１を含み、第１基板及び第２基板を電気的に接続する。なお、前記第１基板及び第２基板は、例えば、電子機器等に使用されるプリント回路基板であるが、いかなる種類の基板であってもよい。
【００１７】
また、本実施の形態において、基板対基板コネクタの各部の構成及び動作を説明するために使用される上、下、左、右、前、後等の方向を示す表現は、絶対的なものでなく相対的なものであり、前記基板対基板コネクタの各部が図に示される姿勢である場合に適切であるが、その姿勢が変化した場合には姿勢の変化に応じて変更して解釈されるべきものである。
【００１８】
そして、前記第１コネクタ１は、合成樹脂等の絶縁性材料によって一体的に形成されたコネクタ本体としての第１ハウジング１１を有する。該第１ハウジング１１は、図に示されるように、概略直方体である概略長方形の厚板状の形状を備え、第２コネクタ１０１が嵌入される側、すなわち、嵌合側（図２における上側）には、周囲が囲まれた概略長方形の凹部１２が形成されている。前記第１コネクタ１は、例えば、縦約１０〔ｍｍ〕、横約２．５〔ｍｍ〕及び厚さ約１．０〔ｍｍ〕の寸法を備えるものであるが、寸法は適宜変更することができる。そして、前記凹部１２内には島部としての第１凸部１３が第１ハウジング１１と一体的に形成され、また、前記第１凸部１３の両側には該第１凸部１３と並行に延在する側壁部１４が第１ハウジング１１と一体的に形成されている。この場合、前記第１凸部１３及び側壁部１４は、凹部１２の底面から上方に向けて突出し、第１ハウジング１１の長手方向に延在する。これにより、前記第１凸部１３の両側には、凹部１２の一部として、第１ハウジング１１の長手方向に延在する細長い挿入凹部である凹溝部１２ａが第１凸部１３と側壁部１４との間に形成される。なお、図に示される例において、前記第１凸部１３は単数であるが、複数であってもよく、その数はいくつであってもよい。また、前記第１凸部１３は、例えば、幅約０．６〔ｍｍ〕の寸法を備えるものであるが、寸法は適宜変更することができる。
【００１９】
ここで、前記第１凸部１３の両側の側面には凹溝状の第１端子収容内側キャビティ１５ａが形成されている。また、前記側壁部１４には嵌合面としての上面１４ａ及び両側の側面に跨（またが）るようにして凹溝状の第１端子収容外側キャビティ１５ｂが形成されている。そして、前記第１端子収容内側キャビティ１５ａと第１端子収容外側キャビティ１５ｂとは、凹溝部１２ａの底面において連結され互いに一体化しているので、第１端子収容内側キャビティ１５ａと第１端子収容外側キャビティ１５ｂとを統合的に説明する場合には、第１端子収容キャビティ１５として説明する。
【００２０】
該第１端子収容キャビティ１５は、第１凸部１３の両側に、例えば、約０．４〔ｍｍ〕のピッチで１０個ずつ形成されている。そして、第１端子収容キャビティ１５の各々に収容される第１端子６１も、第１凸部１３の両側に、例えば、約０．４〔ｍｍ〕のピッチで１０個ずつ配設されている。なお、前記第１端子収容キャビティ１５のピッチ及び個数は適宜変更することができる。
【００２１】
前記第１端子６１は、導電性の金属板に打抜き、曲げ等の加工を施すことによって一体的に形成された部材であり、被保持部６３と、該被保持部６３の下端に接続されたテール部６２と、前記被保持部６３の上端に接続された上側接続部６７と、該上側接続部６７の内方端近傍に形成された第２接触部６６と、該第２接触部６６に接続された下側接続部６４と、該下側接続部６４の自由端近傍に形成された第１接触部６５とを備える。
【００２２】
そして、前記被保持部６３は、上下方向、すなわち、第１ハウジング１１の厚さ方向に延在し、前記第１端子収容外側キャビティ１５ｂに嵌入されて保持される部分である。また、前記テール部６２は、被保持部６３に対して曲げて接続され、左右方向、すなわち、第１ハウジング１１の幅方向に外方を向いて延出し、第１基板上の導電トレースに連結された接続パッドにはんだ付等によって接続される。さらに、前記上側接続部６７は、被保持部６３に対して曲げて接続され、第１ハウジング１１の幅方向に内方を向いて延出する。そして、上側接続部６７の内方端には、下方に向けて曲げられ、かつ、内方に突出する湾曲した第２接触部６６が形成されている。また、前記下側接続部６４は、前記第２接触部６６の下端に接続されたＵ字状の側面形状を備える部分である。そして、下側接続部６４の自由端、すなわち、内方の上端近傍には、Ｕ字状に曲げられ、かつ、外方に、突出する湾曲した第１接触部６５が形成されている。
【００２３】
前記第１端子６１は、嵌合側から、第１端子収容キャビティ１５内に嵌入され、被保持部６３が側壁部１４の外側部分における第１端子収容外側キャビティ１５ｂの側壁によって両側から挟持されることにより、第１ハウジング１１に固定される。
【００２４】
本実施の形態において、前記第１凸部１３の上面１３ａは嵌合面であって、フラットに、すなわち、平滑に形成されている。そして、第１ハウジング１１に固定された第１端子６１のいずれの部分も、前記第１凸部１３の上面１３ａから突出しない。また、図に示される例において、側壁部１４の上面１４ａは、第１凸部１３の上面１３ａよりも低い（第１基板に近い）位置に形成されている。そのため、第１端子６１の上側接続部６７の上面は、側壁部１４の上面１４ａとほぼ面一であっても、第１凸部１３の上面１３ａから突出しない。なお、第１端子６１の上側接続部６７の上面を側壁部１４の上面１４ａより低くするのであれば、側壁部１４の上面１４ａを第１凸部１３の上面１３ａと面一にしてもよい。
【００２５】
また、該第１ハウジング１１の長手方向両端には第１嵌合ガイド部としての第１突出端部２１が各々配設されている。各第１突出端部２１には、前記凹部１２の一部として突出端凹部２２が形成されている。該突出端凹部２２は、略長方形の凹部であり、各凹溝部１２ａの長手方向両端に接続されている。そして、前記突出端凹部２２は、第１コネクタ１及び第２コネクタ１０１が嵌合された状態において、該第２コネクタ１０１が備える後述される第２突出端部１２２が挿入されるガイド凹部として機能する。
【００２６】
さらに、前記第１突出端部２１は、側壁部１４の長手方向両端から第１ハウジング１１の長手方向に延出する突出側壁部２１ｂと、第１ハウジング１１の短手方向に延在し、両端が突出側壁部２１ｂに接続された端壁部２１ｃとを備える。各第１突出端部２１において、端壁部２１ｃとその両端に接続された突出側壁部２１ｂとは、連続したコ字状の側壁を形成し、略長方形の突出端凹部２２の三方を画定する。
【００２７】
また、各第１突出端部２１の上面２１ａは、端壁部２１ｃとその両端に接続された突出側壁部２１ｂとの全範囲に亘（わた）って延在する連続したコ字状の一枚の平面であり、前記第１凸部１３の上面１３ａ及び側壁部１４の上面１４ａよりも高い（第１基板から遠い）位置に形成されている。
【００２８】
そして、各突出側壁部２１ｂの入口端、すなわち、側壁部１４との境界部分には、第１ハウジング１１の長手方向に対して傾斜した誘込み傾斜面としての傾斜面部２３が形成されている。具体的には、第１突出端部２１の上面２１ａが側壁部１４の上面１４ａよりも高い位置にあるので、突出側壁部２１ｂは、側壁部１４との境界部分に、第１ハウジング１１の長手方向に対して直交する方向に延在する平面状の垂直境界壁部２１ｅを備えるが、該垂直境界壁部２１ｅにおける内方の角部が斜めに切除されて前記傾斜面部２３が形成されている。なお、該傾斜面部２３を形成するために垂直境界壁部２１ｅの角部を削除したことによって、突出側壁部２１ｂにおける側壁部１４との境界部分の一部に前記上面２１ａより低い位置に低段面２１ｆが形成されているが、該低段面２１ｆは、側壁部１４の上面１４ａと面一となっている。
【００２９】
この結果、各第１突出端部２１の突出端凹部２２の入口端は、両側における突出側壁部２１ｂの入口端の内側角部に形成された傾斜面部２３の存在によって、上方から観て、斜めに開いた形状となるので、第２コネクタ１０１を第１ハウジング１１の長手方向に摺動させた場合に、第２突出端部１２２が突出端凹部２２内に挿入されやすくなる。
【００３０】
なお、上方から観ると、傾斜面部２３の第１ハウジング１１の長手方向に対する傾斜角度は、図に示される例において、約４５度であるが、必ずしも４５度である必要はなく、３０度であってもよいし、６０度であってもよいし、任意に設定することができる。また、前記傾斜面部２３は、図に示される例においては平面であるが、曲面であってもよい。すなわち、傾斜面部２３は、傾斜平面であってもよいし、傾斜曲面であってもよい。
【００３１】
また、前記第１突出端部２１には、補強金具としての第１補強金具５１が取付けられる。該第１補強金具５１は、金属板に打抜き、曲げ等の加工を施すことによって一体的に形成された部材であり、突出側壁部２１ｂに形成された第１金具保持凹部２６内に収容されて保持される。そして、第１補強金具５１の下端に形成されたテール部５２は、第１基板上の固定用のパッドにはんだ付等によって接続される。また、第１補強金具５１の上端に形成された係合凸部５３は、内側面２１ｄから突出端凹部２２内に突出し、第１コネクタ１と第２コネクタ１０１とが嵌合された状態において、第２コネクタ１０１が備える後述される第２補強金具１５１と係合する。
【００３２】
次に、前記第２コネクタ１０１の構成について説明する。
【００３３】
図３は本発明の実施の形態における第２コネクタの斜視図であり嵌合面側から観た図である。
【００３４】
第２コネクタ１０１は、合成樹脂等の絶縁性材料によって一体的に形成されたコネクタ本体としての第２ハウジング１１１を有する。該第２ハウジング１１１は、図に示されるように、概略直方体である概略長方形の厚板状の形状を備え、例えば、縦約８．０〔ｍｍ〕、横約１．５〔ｍｍ〕及び厚さ約０．８〔ｍｍ〕の寸法を備えるものであるが、寸法は適宜変更することができる。そして、第２ハウジング１１１における第１コネクタ１に嵌入される側、すなわち、嵌合側（図における上側）には、第２ハウジング１１１の長手方向に延在する細長い凹溝部１１３と、該凹溝部１１３の外側を画定するとともに、第２ハウジング１１１の長手方向に延在する細長い凸部としての第２凸部１１２とが一体的に形成されている。該第２凸部１１２は、凹溝部１１３の両側に沿って、かつ、第２ハウジング１１１の両側に沿って形成されている。また、各第２凸部１１２には、端子としての第２端子１６１が配設されている。
【００３５】
図に示されるように、凹溝部１１３は、第２基板に実装される側、すなわち、実装側（図における下面）側の面が凹溝部１１３が底部によって閉止されている。なお、図に示される例において、前記第２凸部１１２は２本であるが、単数であってもよく、その数はいくつであってもよい。また、前記凹溝部１１３は、例えば、幅約０．７〔ｍｍ〕の寸法を備えるものであるが、寸法は適宜変更することができる。
【００３６】
前記第２端子１６１は、導電性の金属板に打抜き、曲げ等の加工を施すことによって一体的に形成された部材であり、第２接触部としても機能する被保持部１６３と、該被保持部１６３の下端に接続されたテール部１６２と、前記被保持部１６３の上端に接続された接続部１６４と、該接続部１６４の内方端に接続された第１接触部１６５とを備える。なお、該第１接触部１６５の表面には、第１端子６１の第１接触部６５と係合する接触凹部１６５ａが形成されている。また、前記被保持部１６３の上端近傍には、第１端子６１の第２接触部６６と係合する接触凸部１６６が形成されている。
【００３７】
そして、前記被保持部１６３は、第２ハウジング１１１に周囲を囲まれて保持されるとともに、第１端子６１の第２接触部６６と接触する部分である。また、前記テール部１６２は、被保持部１６３に対して曲げて接続され、第２ハウジング１１１の外方を向いて延出し、第２基板上の導電トレースに連結された接続パッドにはんだ付等によって接続される。さらに、前記接続部１６４は、被保持部１６３に対して曲げて接続され、第２ハウジング１１１の幅方向に内方を向いて延出する。また、前記第１接触部１６５は、接続部１６４の内方端に、下方に向けて曲げられて接続され、下方に延出する部分である。
【００３８】
なお、前記第２凸部１１２には、その両側の側面及び上面１１２ａに跨るようにして第２端子収容キャビティ１１５が形成され、前記第２端子１６１は第２端子収容キャビティ１１５内に収容される。本実施の形態において、前記第２凸部１１２の上面１１２ａは嵌合面であって、フラットに、すなわち、平滑に形成されている。嵌合面としての前記上面１１２ａは、前記第１コネクタ１の第１凸部１３の上面１３ａとともに、第１コネクタ１と第２コネクタ１０１との嵌合の基準面として機能する。そのため、第２端子１６１の接続部１６４の上面は、前記上面１１２ａから突出しない。図に示される例において、前記接続部１６４の上面は、前記上面１１２ａと面一になっているが、該上面１１２ａより下方に位置していてもよい。
【００３９】
前記第２端子収容キャビティ１１５は、凹溝部１１３の両側に、例えば、約０．４〔ｍｍ〕のピッチで１０個ずつ形成されている。そして、第２端子収容キャビティ１１５の各々に収容される第２端子１６１も、凹溝部１１３の両側に、例えば、約０．４〔ｍｍ〕のピッチで１０個ずつ配設されている。なお、前記第２端子収容キャビティ１１５のピッチ及び個数は適宜変更することができる。
【００４０】
また、前記第２ハウジング１１１の長手方向両端には第２嵌合ガイド部としての第２突出端部１２２が各々配設されている。該第２突出端部１２２は、第２ハウジング１１１の短手方向に延在し、両端が各第２凸部１１２の長手方向両端に接続された肉厚の部材であり、その上面１２２ａは略長方形の平面である。そして、前記第２突出端部１２２は、第１コネクタ１及び第２コネクタ１０１が嵌合された状態において、前記第１コネクタ１が備える第１突出端部２１の突出端凹部２２に挿入される部分である。また、前記上面１２２ａは、第２凸部１１２の上面１１２ａと面一に形成され、該上面１１２ａとともに、嵌合面として機能する。
【００４１】
なお、図に示される例において、前記上面１２２ａの外側端と第２突出端部１２２の端側面１２２ｂ及び左右の横側面１２２ｃとの境界部、すなわち、第２突出端部１２２の周囲三方の角部には、面取りが施されているが、面取りを省略することもできる。
【００４２】
また、第２突出端部１２２の両側端、すなわち、端側面１２２ｂと左右の横側面１２２ｃとの境界部には、第２ハウジング１１１の長手方向に対して傾斜した被誘込み傾斜面としての傾斜面部１２３が形成されている。具体的には、端側面１２２ｂと左右の横側面１２２ｃとの境界の角部が斜めに切除されて前記傾斜面部１２３が形成されている。
【００４３】
この結果、各第２突出端部１２２の外側両端は、前記傾斜面部１２３の存在によって、上方から観て、斜めに削られた形状となるので、第２コネクタ１０１を第１コネクタ１の第１ハウジング１１の長手方向に摺動させた場合に、第２突出端部１２２が第１突出端部２１の突出端凹部２２内に挿入されやすくなる。
【００４４】
なお、上方から観ると、傾斜面部１２３の第１ハウジング１１の長手方向に対する傾斜角度は、図に示される例において、約４５度であるが、必ずしも４５度である必要はなく、３０度であってもよいし、６０度であってもよいし、任意に設定することができる。また、前記傾斜面部１２３は、図に示される例においては平面であるが、曲面であってもよい。すなわち、傾斜面部１２３は、傾斜平面であってもよいし、傾斜曲面であってもよい。さらに、不要であれば、前記傾斜面部１２３を省略することもできる。
【００４５】
また、前記第２突出端部１２２には、補強金具としての第２補強金具１５１が取付けられる。該第２補強金具１５１は、金属板に打抜き、曲げ等の加工を施すことによって一体的に形成された部材であり、第２突出端部１２２に形成された第２金具保持凹部１２６内に収容されて保持される。そして、前記第２補強金具１５１の下端に形成されたテール部１５２は、第２基板上の固定用のパッドにはんだ付等によって接続される。また、前記テール部１５２の上側に形成された係合凹部１５３は、第１コネクタ１と第２コネクタ１０１とが嵌合された状態において、第１コネクタ１が備える第１補強金具５１の係合凸部５３と係合する。
【００４６】
次に、前記構成の第１コネクタ１と第２コネクタ１０１とを嵌合する動作について説明する。
【００４７】
図４は本発明の実施の形態における第１コネクタと第２コネクタとの位置関係を示す平面図であり嵌合作業の第１の工程を示す図、図５は本発明の実施の形態における第１コネクタと第２コネクタとの位置関係を示す斜視図であり嵌合作業の第２の工程を示す図、図６は本発明の実施の形態における第１コネクタと第２コネクタとの位置関係を示す平面図であり嵌合作業の第２の工程を示す図、図７は本発明の実施の形態における第１コネクタと第２コネクタとの位置関係を示す平面図であり嵌合作業の第３の工程を示す図、図８は本発明の実施の形態における第１コネクタと第２コネクタとの位置関係を示す平面図であり嵌合作業の第４の工程を示す図、図９は本発明の実施の形態における第１コネクタと第２コネクタとの位置関係を示す斜視図である。
【００４８】
ここで、第１コネクタ１は、第１端子６１のテール部６２が図示されない第１基板上の導電トレースに連結された接続パッドにはんだ付等によって接続されるとともに、第１補強金具５１のテール部５２が第１基板上の固定用のパッドにはんだ付等によって接続されることにより、第１基板に表面実装されているものとする。
【００４９】
同様に、第２コネクタ１０１は、第２端子１６１のテール部１６２が図示されない第２基板上の導電トレースに連結された接続パッドにはんだ付等によって接続されるとともに、第２補強金具１５１のテール部１５２が第２基板上の固定用のパッドにはんだ付等によって接続されることにより、第２基板に表面実装されているものとする。
【００５０】
ここでは、面積の広い第１基板及び第２基板に第１コネクタ１及び第２コネクタ１０１が各々実装されているので、オペレータは、第１コネクタ１の嵌合側と第２コネクタ１０１の嵌合側とを目視することができず、手探りで嵌合作業を行うものとして説明する。
【００５１】
まず、オペレータは、第１コネクタ１の嵌合側と第２コネクタ１０１の嵌合側とを対向させた状態とし、第１コネクタ１及び／又は第２コネクタ１０１を相手側に接近する方向、すなわち、嵌合方向に移動させ、第１コネクタ１の嵌合面の一部と第２コネクタ１０１の嵌合面の一部とを当接させる。この場合、手探りなので正確な位置合せをすることができず、図４に示されるように、第１コネクタ１の位置と第２コネクタ１０１の位置とがずれてしまう。なお、第１端子６１は第１コネクタ１の嵌合面から突出しておらず、かつ、第２端子１６１も第２コネクタ１０１の嵌合面から突出していないので、この状態で第１端子６１と第２端子１６１とは、互いに離間して接触していない。したがって、第１コネクタ１と第２コネクタ１０１とを摺動させても、第１端子６１及び第２端子１６１が互いに接触して損傷を受けてしまうことはない。
【００５２】
具体的には、第２コネクタ１０１の長手方向の中心軸が第１コネクタ１の長手方向の中心軸に対して図における下側に位置し、第２コネクタ１０１の短手方向の中心軸が第１コネクタ１の短手方向の中心軸に対して図における右側に位置するので、第２ハウジング１１１の第２突出端部１２２が、第１ハウジング１１の第１突出端部２１における突出端凹部２２の図における右下に位置する。
【００５３】
そして、オペレータが第１コネクタ１と第２コネクタ１０１とを摺動させながら、第１コネクタ１に対して第２コネクタ１０１を相対的に左方向に移動させると、図５及び６に示されるように、第１ハウジング１１の第１突出端部２１における突出側壁部２１ｂの入口端に形成された傾斜面部２３に、第２ハウジング１１１の第２突出端部１２２の両側端に形成された傾斜面部１２３が当接する。具体的には、図６において、第１ハウジング１１の左側の第１突出端部２１における下側の突出側壁部２１ｂの右側端に形成された傾斜面部２３に、第２ハウジング１１１の左側の第２突出端部１２２の左下の角部に形成された傾斜面部１２３が当接する。
【００５４】
ここで、オペレータが第１コネクタ１に対して第２コネクタ１０１を相対的に左方向に更に移動させると、前記第２突出端部１２２の左下の角部が前記第１突出端部２１における突出側壁部２１ｂの傾斜面部２３に沿って移動するので、第２コネクタ１０１が第１コネクタ１に対して相対的に図６における上方向に移動する。すなわち、第２コネクタ１０１の長手方向の中心軸が第１コネクタ１の長手方向の中心軸に対して接近する方向に移動する。
【００５５】
続いて、オペレータが第１コネクタ１に対して第２コネクタ１０１を相対的に左方向に更に移動させると、図７に示されるように、第１コネクタ１の長手方向の中心軸と第２コネクタ１０１の長手方向の中心軸とのずれが小さくなり、第２ハウジング１１１の第２突出端部１２２の左下の角部が、前記第１突出端部２１における突出側壁部２１ｂの内側面２１ｄに近接した位置に到達する。
【００５６】
続いて、オペレータが第１コネクタ１に対して第２コネクタ１０１を相対的に左方向に更に移動させると、第２コネクタ１０１が第１コネクタ１に対して相対的に更に図７における上方向に移動する。そして、第２コネクタ１０１の長手方向の中心軸が第１コネクタ１の長手方向の中心軸とほとんど一致し、第２ハウジング１１１の第２突出端部１２２の位置が、図７における上下方向に関して、第１ハウジング１１の第１突出端部２１における突出端凹部２２の位置とほとんど一致する。したがって、第２ハウジング１１１の左側の第２突出端部１２２は、第１ハウジング１１の左側の突出端凹部２２に、右側から進入可能となる。
【００５７】
そのため、オペレータが第１コネクタ１に対して第２コネクタ１０１を相対的に左方向に更に移動させると、第２ハウジング１１１の左側の第２突出端部１２２は、第１ハウジング１１の左側の突出端凹部２２内を左方向に移動する。そして、図８に示されるように、前記第２突出端部１２２の端側面１２２ｂが第１突出端部２１の端壁部２１ｃの内側面２１ｄに当接する。これにより、第１コネクタ１と第２コネクタ１０１との位置合せが行われた状態となる。
【００５８】
つまり、第２ハウジング１１１の左側の第２突出端部１２２の端側面１２２ｂが第１ハウジング１の左側の第１突出端部２１における端壁部２１ｃの内側面２１ｄに当接すると、第２ハウジング１１１の左側の第２突出端部１２２が第１ハウジング１の左側の突出端凹部２２の真上に位置することとなる。一方、図８に示されるように、第２ハウジング１１１の右側の第２突出端部１２２も第１ハウジング１の右側の突出端凹部２２の真上に位置することとなる。また、図８では明確でないが、第２ハウジング１１１の各第２凸部１１２も、第１ハウジング１の各凹溝部１２ａの真上に位置することとなる。さらに、第２ハウジング１１１の凹溝部１１３も、第１ハウジング１の第１凸部１３の真上に位置することとなる。すなわち、第２コネクタ１０１の長手方向及び短手方向の中心軸が第１コネクタ１の長手方向及び短手方向の中心軸とほとんど一致し、嵌合面に平行な方向に関して、第１コネクタ１と第２コネクタ１０１との位置合せが行われた状態となる。
【００５９】
そこで、オペレータが第１コネクタ１に対して第２コネクタ１０１を相対的に嵌合方向、すなわち、嵌合面に直交する方向（図８の図面に垂直な方向）であって、第１基板と第２基板とが接近する方向に移動させると第１コネクタ１と第２コネクタ１０１との嵌合が開始される。そして、第２コネクタ１０１の左右の第２凸部１１２が第１コネクタ１の左右の凹溝部１２ａ内に挿入され、第１端子６１の第１接触部６５と第２端子１６１の第１接触部１６５とが接触し、第１端子６１の第２接触部６６と第２端子１６１の被保持部１６３とが接触する。
【００６０】
これにより、図９に示されるように、第１コネクタ１と第２コネクタ１０１との嵌合が完了すると、第１端子６１と第２端子１６１とが導通した状態となるので、その結果、第１端子６１のテール部６２が接続された第１基板上の接続パッドに接続された導電トレースと、第２端子１６１のテール部１６２が接続された第２基板上の接続パッドに接続された導電トレースとが導通する。この場合、第１端子６１と第２端子１６１とが多点接触となるので、導通状態が確実に維持される。
【００６１】
また、第１端子６１の第１接触部６５が第２端子１６１の接触凹部１６５ａと係合し、第１端子６１の第２接触部６６が第２端子１６１の接触凸部１６６と係合した状態となる。さらに、第１コネクタ１が備える第１補強金具５１の係合凸部５３が第２コネクタ１０１が備える第２補強金具１５１の係合凹部１５３と係合した状態となる。そのため、第１コネクタ１と第２コネクタ１０１との嵌合を解除する力、すなわち、第１コネクタ１から第２コネクタ１０１を抜去るための抜去力を受けた場合でも、第１コネクタ１から第２コネクタ１０１を抜去ることが困難である。つまり、必要な抜去力が大きくなる。
【００６２】
このように、本実施の形態においては、第２コネクタ１０１の第２ハウジング１１１の長手方向両端に形成された第２突出端部１２２が挿入される第１コネクタ１の第１ハウジング１１の長手方向両端に形成された突出端凹部２２の入口端が、第１ハウジング１１の長手方向に対して傾斜している。これにより、手探りでの嵌合作業中に、第１ハウジング１１に対して第２ハウジング１１１を長手方向に相対的に移動させることによって、容易に第２突出端部１２２を突出端凹部２２に挿入させることができるので、第１コネクタ１と第２コネクタ１０１との位置合せを容易に行うことができ、第１コネクタ１と第２コネクタ１０１との嵌合を容易に行うことができる。
【００６３】
また、第１端子６１のいずれの部分も側壁部１４の上面１４ａ及び第１凸部１３の上面１３ａから突出せず、第２端子１６１のいずれの部分も第２凸部１１２の上面１１２ａから突出していないので、手探りでの嵌合作業中に、第１コネクタ１と第２コネクタ１０１を摺動させても、第１端子６１と第２端子１６１とが当接して引掛かることがなく、第１端子６１及び第２端子１６１が損傷を受けることがない。
【００６４】
さらに、第２突出端部１２２の外側両端に傾斜面部１２３が形成されているので、第２コネクタ１０１を第１コネクタ１の第１ハウジング１１の長手方向に摺動させた場合に、第２突出端部１２２が第１突出端部２１の突出端凹部２２内に挿入されやすくなる。
【００６５】
なお、本発明は前記実施の形態に限定されるものではなく、本発明の趣旨に基づいて種々変形させることが可能であり、それらを本発明の範囲から排除するものではない。
【図面の簡単な説明】
【００６６】
【図１】本発明の実施の形態における第１コネクタと第２コネクタとを嵌合する前の状態を示す斜視図であり第１コネクタの嵌合面側から観た図である。
【図２】本発明の実施の形態における第１コネクタの斜視図であり嵌合面側から観た図である。
【図３】本発明の実施の形態における第２コネクタの斜視図であり嵌合面側から観た図である。
【図４】本発明の実施の形態における第１コネクタと第２コネクタとの位置関係を示す平面図であり嵌合作業の第１の工程を示す図である。
【図５】本発明の実施の形態における第１コネクタと第２コネクタとの位置関係を示す斜視図であり嵌合作業の第２の工程を示す図である。
【図６】本発明の実施の形態における第１コネクタと第２コネクタとの位置関係を示す平面図であり嵌合作業の第２の工程を示す図である。
【図７】本発明の実施の形態における第１コネクタと第２コネクタとの位置関係を示す平面図であり嵌合作業の第３の工程を示す図である。
【図８】本発明の実施の形態における第１コネクタと第２コネクタとの位置関係を示す平面図であり嵌合作業の第４の工程を示す図である。
【図９】本発明の実施の形態における第１コネクタと第２コネクタとの位置関係を示す斜視図である。
【図１０】従来の基板対基板コネクタのプラグコネクタを示す斜視図である。
【符号の説明】
【００６７】
１、８０１    第１コネクタ
１１、８１１    第１ハウジング
１２    凹部
１２ａ、１１３    凹溝部
１３    第１凸部
１３ａ、１４ａ、２１ａ、１１２ａ、１２２ａ    上面
１４    側壁部
１５ａ    第１端子収容内側キャビティ
１５ｂ    第１端子収容外側キャビティ
２１    第１突出端部
２１ｂ    突出側壁部
２１ｃ    端壁部
２１ｄ    内側面
２１ｅ    垂直境界壁部
２１ｆ    低段面
２２    突出端凹部
２３、１２３    傾斜面部
２６    第１金具保持凹部
５１    第１補強金具
５２、６２、１５２、１６２、８６２    テール部
５３    係合凸部
６１、８６１    第１端子
６３、１６３    被保持部
６４    下側接続部
６５、１６５    第１接触部
６６    第２接触部
６７    上側接続部
１０１    第２コネクタ
１１１    第２ハウジング
１１２    第２凸部
１１５    第２端子収容キャビティ
１２２    第２突出端部
１２２ｂ    端側面
１２２ｃ    横側面
１２６    第２金具保持凹部
１５１    第２補強金具
１５３    係合凹部
１６１    第２端子
１６４    接続部
１６５ａ    接触凹部
１６６    接触凸部
８２１    第１嵌合ガイド部
８２３    傾斜面
８９１    第１回路基板
【図１】
2010097727.tif 000003
【図２】
2010097727.tif 000004
【図３】
2010097727.tif 000005
【図４】
2010097727.tif 000006
【図５】
2010097727.tif 000007
【図６】
2010097727.tif 000008
【図７】
2010097727.tif 000009
【図８】
2010097727.tif 000010
【図９】
2010097727.tif 000011
【図１０】
2010097727.tif 000012